(57)【要約】  空気調和装置は、圧縮機、室外熱交換器、膨張部及び室内熱交換器が配管により接続され、冷媒が流れる冷媒回路と、室内熱交換器に流れる冷媒の温度を検出する室内側温度検出部と、圧縮機を制御する制御部と、を備え、制御部は、室内の設定温度に基づいて、室内熱交換器に流れる冷媒の目標温度の範囲を設定する設定手段と、室内側温度検出部によって検出された冷媒の温度が、設定手段によって設定された目標温度の範囲に入るように、圧縮機を制御する圧縮制御手段と、を有する。
2019043941.tif 000002
【特許請求の範囲】
【請求項１】
圧縮機、室外熱交換器、膨張部及び室内熱交換器が配管により接続され、冷媒が流れる冷媒回路と、
前記室内熱交換器に流れる冷媒の温度を検出する室内側温度検出部と、
前記圧縮機を制御する制御部と、を備え、
前記制御部は、
室内の設定温度に基づいて、前記室内熱交換器に流れる冷媒の目標温度の範囲を設定する設定手段と、
前記室内側温度検出部によって検出された冷媒の温度が、前記設定手段によって設定された前記目標温度の範囲に入るように、前記圧縮機を制御する圧縮制御手段と、を有する
空気調和装置。
【請求項２】
前記設定手段は、
室内の設定温度が低いほど、前記目標温度の上限値を低くする上限設定手段を有する
請求項１記載の空気調和装置。
【請求項３】
冷房運転が行われている場合、
前記圧縮制御手段は、
前記室内側温度検出部によって検出された冷媒の温度が、前記上限設定手段によって設定された上限値を超えた場合、前記圧縮機の周波数を増加させるものである
請求項２記載の空気調和装置。
【請求項４】
暖房運転が行われている場合、
前記圧縮制御手段は、
前記室内側温度検出部によって検出された冷媒の温度が、前記上限設定手段によって設定された上限値を超えた場合、前記圧縮機の周波数を減少させるものである
請求項２又は３記載の空気調和装置。
【請求項５】
前記設定手段は、
室内の設定温度が高いほど、前記目標温度の下限値を高くする下限設定手段を有する
請求項１〜４のいずれか１項に記載の空気調和装置。
【請求項６】
冷房運転が行われている場合、
前記圧縮制御手段は、
前記室内側温度検出部によって検出された冷媒の温度が、前記下限設定手段によって設定された下限値を下回った場合、前記圧縮機の周波数を減少させるものである
請求項５記載の空気調和装置。
【請求項７】
暖房運転が行われている場合、
前記圧縮制御手段は、
前記室内側温度検出部によって検出された冷媒の温度が、前記下限設定手段によって設定された下限値を下回った場合、前記圧縮機の周波数を増加させるものである
請求項５又は６記載の空気調和装置。
【請求項８】
室内の人の有無を検出する人検出部を更に備え、
前記制御部は、
前記人検出部によって人が未検出である場合、前記設定手段による前記目標温度の範囲の設定を解除する解除手段を更に有する
請求項１〜７のいずれか１項に記載の空気調和装置。
【発明の詳細な説明】
【技術分野】
【０００１】
本発明は、室内熱交換器に流れる冷媒の温度を制御する空気調和装置に関する。
【背景技術】
【０００２】
従来、室内熱交換器に流れる冷媒の温度を制御する空気調和装置が知られている。冷房運転が行われているとき、室内熱交換器は蒸発器として作用する。室内熱交換器に流れる冷媒の蒸発温度が低いほど、室内の設定温度との差が大きくなって、室内はより冷却される。また、蒸発温度が高いほど、室内の設定温度との差が小さくなって、室内は冷却され難くなる。一方、暖房運転が行われているとき、室内熱交換器は凝縮器として作用する。室内熱交換器に流れる冷媒の凝縮温度が高いほど、室内の設定温度との差が大きくなって、室内はより加熱される。また、凝縮温度が低いほど、室内の設定温度との差が小さくなって、室内は加熱され難くなる。特許文献１には、室内の設定温度と室外の温度との温度差に基づいて空調負荷を算出し、算出された空調負荷に応じて、冷房運転時に蒸発温度、及び暖房運転時に凝縮温度を、圧縮機の容量を変更することにより制御する空気調和装置が開示されている。
【先行技術文献】
【特許文献】
【０００３】
【特許文献１】特開２００２−１４７８２３号公報
【発明の概要】
【発明が解決しようとする課題】
【０００４】
特許文献１に開示された空気調和装置は、室外の温度が低く、冷房時に室内の設定温度が高く設定されているとき、設定温度と室外の温度との差が小さくなる。このため、空気調和装置は、圧縮機の容量を減少させる。これにより、空調能力が不足するおそれがある。また、従来、室内の設定温度によらず室外の温度のみに基づいて、冷房時に蒸発温度を制御する技術も知られている。室外の温度が低い場合、過剰な冷房を抑えるために蒸発温度の下限値が引き上げられる。しかし、蒸発温度の上限値は変わらないため、設定温度が高く設定されても、蒸発温度と設定温度との差が縮まらず、過剰な冷房が行われるおそれがある。【０００５】
本発明は、上記のような課題を解決するためになされたもので、過不足のない冷房運転又は暖房運転を行う空気調和装置を提供するものである。
【課題を解決するための手段】
【０００６】
本発明に係る空気調和装置は、圧縮機、室外熱交換器、膨張部及び室内熱交換器が配管により接続され、冷媒が流れる冷媒回路と、室内熱交換器に流れる冷媒の温度を検出する室内側温度検出部と、圧縮機を制御する制御部と、を備え、制御部は、室内の設定温度に基づいて、室内熱交換器に流れる冷媒の目標温度の範囲を設定する設定手段と、室内側温度検出部によって検出された冷媒の温度が、設定手段によって設定された目標温度の範囲に入るように、圧縮機を制御する圧縮制御手段と、を有する。
【発明の効果】
【０００７】
本発明によれば、室内の設定温度に基づいて目標温度の範囲を設定し、設定された目標温度の範囲に入るように圧縮機を制御している。このため、室外の温度に関わらず、室内の設定温度に応じて、ユーザにとって過不足のない冷房運転又は暖房運転が行われる。
【図面の簡単な説明】
【０００８】
【図１】本発明の実施の形態１に係る空気調和装置１を示す回路図である。
【図２】本発明の実施の形態１に係る空気調和装置１の制御部１０を示すブロック図である。
【図３】本発明の実施の形態１における蒸発温度Ｔｅの目標温度の範囲を示すグラフである。
【図４】本発明の実施の形態１における凝縮温度Ｔｃの目標温度の範囲を示すグラフである。
【図５】本発明の実施の形態１に係る空気調和装置１の動作を示すフローチャートである。
【図６】本発明の実施の形態２に係る空気調和装置１００の制御部１１０を示すブロック図である。
【図７】本発明の実施の形態２に係る空気調和装置１００の動作を示すフローチャートである。
【発明を実施するための形態】
【０００９】
実施の形態１．
以下、本発明に係る空気調和装置の実施の形態について、図面を参照しながら説明する。図１は、本発明の実施の形態１に係る空気調和装置１を示す回路図である。図１に示すように、空気調和装置１は、室内空間の空気を調整する装置であり、室外機２と、室内機３とを備えている。室外機２には、圧縮機５、流路切替装置６、室外熱交換器７、膨張部８及び室外制御装置１１が設けられている。室内機３には、室内熱交換器９、室内側温度検出部１３、人検出部１４及び室内制御装置１２が設けられている。また、室内機３には、リモコン４が接続されている。リモコン４は、空気調和装置１のユーザが操作するものであり、入力された室内の設定温度Ｔｓｅｔ等が設定される。なお、本実施の形態１では、室外制御装置１１及び室内制御装置１２によって、制御部１０が構成されているが、制御部１０は、室外機２のみに設けられてもよいし、室内機３のみに設けられてもよいし、別ユニットとしてもよい。
【００１０】
圧縮機５、流路切替装置６、室外熱交換器７、膨張部８及び室内熱交換器９が配管により接続されて冷媒回路が構成されている。圧縮機５は、低温且つ低圧の状態の冷媒を吸入し、吸入した冷媒を圧縮して高温且つ高圧の状態の冷媒にして吐出するものである。流路切替装置６は、冷媒回路において冷媒が流れる方向を切り替えるものであり、例えば四方弁である。室外熱交換器７は、例えば室外空気と冷媒との間で熱交換するものである。室外熱交換器７は、冷房運転時には凝縮器として作用し、暖房運転時には蒸発器として作用する。
【００１１】
膨張部８は、冷媒を減圧して膨張する減圧弁又は膨張弁である。膨張部８は、例えば開度が調整される電子式膨張弁である。室内熱交換器９は、例えば室内空気と冷媒との間で熱交換するものである。室内熱交換器９は、冷房運転時には蒸発器として作用し、暖房運転時には凝縮器として作用する。
【００１２】
室内側温度検出部１３は、室内熱交換器９が接続される配管に設けられ、室内熱交換器９に流れる冷媒の温度を検出する。ここで、冷房運転時に蒸発器として作用する室内熱交換器９に流れる冷媒の温度を蒸発温度Ｔｅと呼称し、暖房運転時に凝縮器として作用する室内熱交換器９に流れる冷媒の温度を凝縮温度Ｔｃと呼称する。人検出部１４は、例えば人感センサからなり、室内の人の有無を検出する。室外制御装置１１は、室外機２に設けられた各装置の動作を制御するものであり、室内制御装置１２と接続されている。室内制御装置１２は、室内機３に設けられた各装置の動作を制御するものであり、リモコン４及び室外制御装置１１と接続されている。
【００１３】
（運転モード、冷房運転）
次に、空気調和装置１の運転モードについて説明する。先ず、冷房運転について説明する。冷房運転において、圧縮機５に吸入された冷媒は、圧縮機５によって圧縮されて高温且つ高圧のガス状態で吐出する。圧縮機５から吐出された高温且つ高圧のガス状態の冷媒は、流路切替装置６を通過して、凝縮器として作用する室外熱交換器７に流入し、室外熱交換器７において、室外空気と熱交換されて凝縮して液化する。凝縮された液状態の冷媒は、膨張部８に流入し、膨張部８において膨張及び減圧されて低温且つ低圧の気液二相状態の冷媒となる。そして、気液二相状態の冷媒は、蒸発器として作用する室内熱交換器９に流入し、室内熱交換器９において、室内空気と熱交換されて蒸発してガス化する。このとき、室内空気が冷やされ、室内において冷房が実施される。蒸発した低温且つ低圧のガス状態の冷媒は、流路切替装置６を通過して、圧縮機５に吸入される。
【００１４】
（運転モード、暖房運転）
次に、暖房運転について説明する。暖房運転において、圧縮機５に吸入された冷媒は、圧縮機５によって圧縮されて高温且つ高圧のガス状態で吐出する。圧縮機５から吐出された高温且つ高圧のガス状態の冷媒は、流路切替装置６を通過して、凝縮器として作用する室内熱交換器９に流入し、室内熱交換器９において、室内空気と熱交換されて凝縮して液化する。このとき、室内空気が暖められ、室内において暖房が実施される。凝縮された液状態の冷媒は、膨張部８に流入し、膨張部８において膨張及び減圧されて低温且つ低圧の気液二相状態の冷媒となる。そして、気液二相状態の冷媒は、蒸発器として作用する室外熱交換器７に流入し、室外熱交換器７において、室外空気と熱交換されて蒸発してガス化する。蒸発した低温且つ低圧のガス状態の冷媒は、流路切替装置６を通過して、圧縮機５に吸入される。
【００１５】
図２は、本発明の実施の形態１に係る空気調和装置１の制御部１０を示すブロック図である。次に、制御部１０について詳細に説明する。図２に示すように、制御部１０は、設定手段２１と、圧縮制御手段２４とを有している。設定手段２１は、リモコン４により設定された室内の設定温度Ｔｓｅｔに基づいて、室内熱交換器９に流れる冷媒の目標温度の範囲を設定するものである。設定手段２１は、上限設定手段２２と下限設定手段２３とを有している。上限設定手段２２は、室内の設定温度Ｔｓｅｔが高いほど、目標温度の上限値を高くする。下限設定手段２３は、室内の設定温度Ｔｓｅｔが低いほど、目標温度の下限値を低くする。
【００１６】
図３は、本発明の実施の形態１における蒸発温度Ｔｅの目標温度の範囲を示すグラフである。ここで、冷房運転時に蒸発器として作用する室内熱交換器９に流れる冷媒の蒸発温度Ｔｅの目標温度の範囲について説明する。冷房の需要があるとき、図３に示すように、例えば室外の温度が高い場合、室内の設定温度Ｔｓｅｔが低く設定される傾向がある。一方、室外の温度が低い場合、過剰な冷房を抑えるために、室内の設定温度Ｔｓｅｔが高く設定される傾向がある。このとき、上限設定手段２２は、室内の設定温度Ｔｓｅｔが低いときよりも高いときの方が、目標温度の上限値Ｔｅｍａｘを高くする。これにより、蒸発温度Ｔｅが設定温度Ｔｓｅｔに近づき過ぎることを抑制することができる。従って、冷房能力が不足することを抑制することができる。また、下限設定手段２３は、室内の設定温度Ｔｓｅｔが低いときよりも高いときの方が、目標温度の下限値Ｔｅｍｉｎを高くする。これにより、蒸発温度Ｔｅが下がり過ぎることを抑制することができる。従って、過剰な冷房を抑制することができる。
【００１７】
設定温度Ｔｓｅｔが２２°の場合について例示する。上限設定手段２２は、目標温度の上限値Ｔｅｍａｘを、Ｔｅｍａｘ＝２２−Ａ℃に設定する。ここで、Ａは所定の温度である。下限設定手段２３は、目標温度の下限値Ｔｅｍｉｎを、Ｔｅｍｉｎ＝２２−Ａ−Ｂ℃に設定する。ここで、Ｂは所定の温度である。
【００１８】
図４は、本発明の実施の形態１における凝縮温度Ｔｃの目標温度の範囲を示すグラフである。ここで、暖房運転時に凝縮器として作用する室内熱交換器９に流れる冷媒の凝縮温度Ｔｃの目標温度の範囲について説明する。暖房の需要があるとき、図４に示すように、例えば室外の温度が低い場合、室内の設定温度Ｔｓｅｔが高く設定される傾向がある。一方、室外の温度が高い場合、過剰な暖房を抑えるために、室内の設定温度Ｔｓｅｔが低く設定される傾向がある。このとき、下限設定手段２３は、室内の設定温度Ｔｓｅｔが高いときよりも低いときの方が、目標温度の下限値Ｔｃｍｉｎを低くする。これにより、凝縮温度Ｔｃが設定温度Ｔｓｅｔに近づき過ぎることを抑制することができる。従って、暖房能力が不足することを抑制することができる。また、上限設定手段２２は、室内の設定温度Ｔｓｅｔが高いときよりも低いときの方が、目標温度の上限値Ｔｃｍａｘを低くする。これにより、凝縮温度Ｔｃが上がり過ぎることを抑制することができる。従って、過剰な暖房を抑制することができる。
【００１９】
設定温度Ｔｓｅｔが２２°の場合について例示する。下限設定手段２３は、目標温度の下限値Ｔｃｍｉｎを、Ｔｃｍｉｎ＝２２＋Ａ℃に設定する。ここで、Ａは所定の温度である。上限設定手段２２は、目標温度の上限値Ｔｃｍａｘを、Ｔｃｍａｘ＝２２＋Ａ＋Ｂ℃に設定する。ここで、Ｂは所定の温度である。
【００２０】
圧縮制御手段２４は、室内側温度検出部１３によって検出された冷媒の温度が、設定手段２１によって設定された目標温度の範囲に入るように、圧縮機５を制御するものである。圧縮制御手段２４は、冷房運転時に、検出された冷媒の温度が目標温度の上限値を超えた場合、圧縮機５の周波数を増加させる。これにより、圧縮機５の吸入側と吐出側との圧力差が大きくなるため、蒸発温度Ｔｅは下降する。また、圧縮制御手段２４は、冷房運転時に、検出された冷媒の温度が目標温度の下限値を下回った場合、圧縮機５の周波数を減少させる。これにより、圧縮機５の吸入側と吐出側との圧力差が小さくなるため、蒸発温度Ｔｅは上昇する。
【００２１】
圧縮制御手段２４は、暖房運転時に、検出された冷媒の温度が目標温度の下限値を下回った場合、圧縮機５の周波数を増加させる。これにより、圧縮機５の吸入側と吐出側との圧力差が大きくなるため、凝縮温度Ｔｃは上昇する。また、圧縮制御手段２４は、暖房運転時に、検出された冷媒の温度が目標温度の上限値を超えた場合、圧縮機５の周波数を減少させる。これにより、圧縮機５の吸入側と吐出側との圧力差が小さくなるため、凝縮温度Ｔｃは下降する。
【００２２】
図５は、本発明の実施の形態１に係る空気調和装置１の動作を示すフローチャートである。次に、空気調和装置１の動作について説明する。図５に示すように、先ず、リモコン４によって室内の設定温度Ｔｓｅｔが設定される（ステップＳＴ１）。次に、上限設定手段２２によって、目標温度の上限値が設定される（ステップＳＴ２）。また、下限設定手段２３によって、目標温度の下限値が設定される（ステップＳＴ３）。そして、圧縮機５の周波数が変更される（ステップＳＴ４）。このとき、室内温度検出部によって検出された温度が目標温度の範囲に入っているかが判定される（ステップＳＴ５）。検出された温度が目標温度の範囲に入っていない場合（ステップＳＴ５のＮｏ）、ステップＳＴ４に戻り、圧縮機５の周波数の変更が継続される。一方、検出された温度が目標温度の範囲に入っている場合（ステップＳＴ５のＹｅｓ）、制御が終了する。
【００２３】
本実施の形態１によれば、室内の設定温度Ｔｓｅｔに基づいて目標温度の範囲を設定し、設定された目標温度の範囲に入るように圧縮機５を制御している。このため、室外の温度に関わらず、室内熱交換器９に流れる冷媒の温度と室内の設定温度Ｔｓｅｔとの差を一定にすることができる。従って、ユーザにとって過不足のない冷房運転又は暖房運転が行われる。これにより、ユーザの要求に沿った快適な空調を実現することができる。
【００２４】
実施の形態２．
図６は、本発明の実施の形態２に係る空気調和装置１００の制御部１１０を示すブロック図である。本実施の形態２は、制御部１１０が解除手段１２５を有している点で、実施の形態１と相違する。本実施の形態２では、実施の形態１と同一の部分は同一の符号を付して説明を省略し、実施の形態１との相違点を中心に説明する。
【００２５】
図６に示すように、制御部１１０は解除手段１２５を有している。解除手段１２５は、人検出部１４によって人が未検出である場合、設定手段２１による目標温度の範囲の設定を解除するものである。ここで、設定手段２１によって設定温度Ｔｓｅｔに基づく目標温度の範囲を設定する制御を、範囲設定モードと呼称する。また、範囲設定モードとは異なり、室外の温度を考慮してより省エネルギ且つ冷暖房能力向上を実現する制御を、通常モードと呼称する。範囲設定モードが実行されている場合、解除手段１２５は、人が検出されると、範囲設定モードを継続し、人が非検出であると、範囲設定モードを解除して通常モードに移行する。室内に人がいる場合、人が快適に過ごすことを優先するために、範囲設定モードが実行される。一方、室内に人がいない場合、省エネルギ且つ冷暖房能力向上を優先するために室外の温度を考慮した通常モードが実行される。
【００２６】
図７は、本発明の実施の形態２に係る空気調和装置１００の動作を示すフローチャートである。次に、空気調和装置１００の動作について説明する。図７に示すように、範囲設定モードが実行されている場合、人検出部１４が動作し（ステップＳＴ１１）、人が検出されたかが判定される（ステップＳＴ１２）。人が検出された場合（ステップＳＴ１２のＹｅｓ）、範囲設定モードが継続される（ステップＳＴ１３）。一方、人が未検出の場合（ステップＳＴ１２のＮｏ）、範囲設定モードが解除され、通常モードに移行される（ステップＳＴ１４）。
【００２７】
本実施の形態２によれば、室内に人がいるときは人の快適性を優先し、室内に人がいないときは省エネルギ且つ冷暖房能力を優先することができる。従って、実施の形態１の効果に加え、快適性と省エネルギ性且つ冷暖房能力向上とを両立することができる。
【符号の説明】
【００２８】
１  空気調和装置、２  室外機、３  室内機、４  リモコン、５  圧縮機、６  流路切替装置、７  室外熱交換器、８  膨張部、９  室内熱交換器、１０  制御部、１１  室外制御装置、１２  室内制御装置、１３  室内側温度検出部、１４  人検出部、２１  設定手段、２２  上限設定手段、２３  下限設定手段、２４  圧縮制御手段、１００  空気調和装置、１１０  制御部、１２５  解除手段。
【図１】
2019043941.tif 000003
【図２】
2019043941.tif 000004
【図３】
2019043941.tif 000005
【図４】
2019043941.tif 000006
【図５】
2019043941.tif 000007
【図６】
2019043941.tif 000008
【図７】
2019043941.tif 000009
【手続補正書】
【提出日】令和1年11月13日(2019.11.13)
【手続補正１】
【補正対象書類名】明細書
【補正対象項目名】０００６
【補正方法】変更
【補正の内容】
【０００６】
本発明に係る空気調和装置は、圧縮機、室外熱交換器、膨張部及び室内熱交換器が配管により接続され、冷媒が流れる冷媒回路と、室内熱交換器に流れる冷媒の温度を検出する室内側温度検出部と、圧縮機を制御する制御部と、を備え、制御部は、室内熱交換器に流れる冷媒の目標温度の範囲を、室内の設定温度に対して所定の温度差を有するように設定する設定手段と、室内側温度検出部によって検出された冷媒の温度が、設定手段によって設定された目標温度の範囲に入るように、圧縮機を制御する圧縮制御手段と、を有する。
【手続補正２】
【補正対象書類名】特許請求の範囲
【補正対象項目名】全文
【補正方法】変更
【補正の内容】
【特許請求の範囲】
【請求項１】
圧縮機、室外熱交換器、膨張部及び室内熱交換器が配管により接続され、冷媒が流れる冷媒回路と、
前記室内熱交換器に流れる冷媒の温度を検出する室内側温度検出部と、
前記圧縮機を制御する制御部と、を備え、
前記制御部は、
前記室内熱交換器に流れる冷媒の目標温度の範囲を、室内の設定温度に対して所定の温度差を有するように設定する設定手段と、
前記室内側温度検出部によって検出された冷媒の温度が、前記設定手段によって設定された前記目標温度の範囲に入るように、前記圧縮機を制御する圧縮制御手段と、を有する
空気調和装置。
【請求項２】
前記設定手段は、
室内の設定温度が低いほど、前記目標温度の上限値を低くする上限設定手段を有する
請求項１記載の空気調和装置。
【請求項３】
冷房運転が行われている場合、
前記圧縮制御手段は、
前記室内側温度検出部によって検出された冷媒の温度が、前記上限設定手段によって設定された上限値を超えた場合、前記圧縮機の周波数を増加させるものである
請求項２記載の空気調和装置。
【請求項４】
暖房運転が行われている場合、
前記圧縮制御手段は、
前記室内側温度検出部によって検出された冷媒の温度が、前記上限設定手段によって設定された上限値を超えた場合、前記圧縮機の周波数を減少させるものである
請求項２又は３記載の空気調和装置。
【請求項５】
前記設定手段は、
室内の設定温度が高いほど、前記目標温度の下限値を高くする下限設定手段を有する
請求項１〜４のいずれか１項に記載の空気調和装置。
【請求項６】
冷房運転が行われている場合、
前記圧縮制御手段は、
前記室内側温度検出部によって検出された冷媒の温度が、前記下限設定手段によって設定された下限値を下回った場合、前記圧縮機の周波数を減少させるものである
請求項５記載の空気調和装置。
【請求項７】
暖房運転が行われている場合、
前記圧縮制御手段は、
前記室内側温度検出部によって検出された冷媒の温度が、前記下限設定手段によって設定された下限値を下回った場合、前記圧縮機の周波数を増加させるものである
請求項５又は６記載の空気調和装置。
【請求項８】
室内の人の有無を検出する人検出部を更に備え、
前記制御部は、
前記人検出部によって人が未検出である場合、前記設定手段による前記目標温度の範囲の設定を解除する解除手段を更に有する
請求項１〜７のいずれか１項に記載の空気調和装置。
【手続補正３】
【補正対象書類名】図面
【補正対象項目名】図３
【補正方法】変更
【補正の内容】
【図３】
2019043941.tif 000010
【手続補正４】
【補正対象書類名】図面
【補正対象項目名】図４
【補正方法】変更
【補正の内容】
【図４】
2019043941.tif 000011
【国際調査報告】
2019043941.tif 000012
2019043941.tif 000013
2019043941.tif 000014